(57)【要約】【課題】  使用流量が大きい泡消火設備であっても、配管の縮径と混合装置の小型化を可能にし、施工性の向上、省スペース化、コスト削減が図れるとともに、低濃度型とよばれる泡消火薬剤の混合に適した泡消火設備の泡消火薬剤混合方法及び泡消火設備の泡消火薬剤混合システムを得る。【解決手段】  送水管４の途中に混合装置５を設け、流水中に泡消火薬剤を圧入して泡水溶液を生成する泡消火薬剤混合方法及び混合システムであって、混合装置５の一次側にある送水管４ａを分岐し、一方を混合装置５の一次側配管６とし、他方を混合装置５をバイパスするバイパス管７とし、混合装置５の二次側に配置された二次側配管８及びバイパス管７の端部と混合装置５の二次側にある送水管４ｂとを連結し、一次側配管６を流れる水と混合装置５で吸引された泡消火薬剤とで生成した混合液と、バイパス管７を流れる水とを二次側にある送水管４ｂで合流させて希釈し、所定の混合濃度の泡水溶液を生成するようにした。【選択図】    図１
2016150030.tif 000002
【特許請求の範囲】
【請求項１】
送水管の途中に泡消火薬剤を吸引し流水中に圧入して混合する混合装置を設け、流水中に泡消火薬剤を圧入して所定の混合濃度の泡水溶液を生成する泡消火設備の泡消火薬剤混合方法であって、
前記混合装置の一次側にある送水管を分岐し、一方を混合装置の一次側配管とし、他方を前記混合装置をバイパスするバイパス管とし、前記混合装置の二次側に配置された二次側配管及び前記バイパス管の端部と前記混合装置の二次側にある送水管とを連結し、前記混合装置の一次側配管を流れる水と前記混合装置で吸引された泡消火薬剤とで所定濃度より高濃度の混合液を生成して前記混合装置の二次側配管から送り出し、この高濃度混合液と前記バイパス管を流れる水とを前記混合装置の二次側にある送水管で合流させて希釈し、所定の混合濃度の泡水溶液を生成することを特徴とする泡消火設備の泡消火薬剤混合方法。
【請求項２】
送水管の途中に泡消火薬剤を吸引し流水中に圧入して混合する混合装置を設け、流水中に泡消火薬剤を圧入して所定の混合濃度の泡水溶液を生成する泡消火設備の泡消火薬剤混合システムであって、
前記混合装置の一次側にある送水管を分岐し、一方を混合装置の一次側配管とし、他方を前記混合装置をバイパスするバイパス管とし、前記混合装置の二次側に配置された二次側配管及び前記バイパス管の端部と前記混合装置の二次側にある送水管とを連結し、前記混合装置の一次側配管を流れる水と前記混合装置で吸引された泡消火薬剤とで生成した混合液と、前記バイパス管を流れる水とを前記混合装置の二次側にある送水管で合流させて希釈し、所定の混合濃度の泡水溶液を生成するようにしたことを特徴とする泡消火設備の泡消火薬剤混合システム。
【請求項３】
前記混合装置の一次側配管及び前記バイパス管には、それぞれ流量調整手段が設けられていることを特徴とする請求項２に記載の泡消火設備の泡消火薬剤混合システム。
【請求項４】
前記混合装置は、前記一次側配管を流れる水と泡消火薬剤との混合率に応じて吸引する泡消火薬剤の吸引量を調整する泡消火薬剤吸引調整手段を備えていることを特徴とする請求項２または３のいずれか１項に記載の泡消火設備の泡消火薬剤混合システム。
【発明の詳細な説明】
【技術分野】
【０００１】
本発明は、送水管の途中に泡消火薬剤を吸引し流水中に圧入して混合する混合装置を設け、流水中に泡消火薬剤を圧入して所定の混合濃度の泡水溶液を生成する泡消火設備の泡消火薬剤混合方法及び泡消火設備の泡消火薬剤混合システムに関する。
【背景技術】
【０００２】
石油等の可燃性液体を貯蔵するタンク貯蔵所等における消火設備として、泡消火薬剤と水とを混合した泡水溶液に空気を混合し攪拌し発泡させて消火用泡を生成し、消火用泡で火炎を覆い、火炎と外気の酸素とを遮断して消火する泡消火設備がある。
泡消火設備は、泡消火薬剤と水とを所定の混合率で混合し、所定の混合濃度の泡水溶液を生成する泡消火薬剤混合システムを備えており、泡消火薬剤混合システムとして、プレッシャー・プロポーショナー方式、ポンプ・プロポーショナー方式、プレッシャー・サイド・プロポーショナー方式、ライン・プロポーショナー方式などが知られている。（例えば、公知文献１参照。）。
【先行技術文献】
【非特許文献】
【０００３】
【非特許文献１】平成２０年３月、社団法人日本消火装置工業会発行、「泡・水噴霧消火設備設計・工事基準書」、第３７頁〜第３９頁
【発明の概要】
【発明が解決しようとする課題】
【０００４】
しかしながら、従来知られている泡消火薬剤混合システムは、泡消火設備における使用流量に応じて泡消火薬剤混合システムにおける配管径が拡大化し、また、混合装置も大型化する。このため、使用流量が大きい場合、配管径の拡大化や混合装置の大型化により、泡消火薬剤混合システムの施工性の困難さが増加し、また、広いスペースを要し、さらにはコストアップが避けられないといった問題がある。
また、水と泡消火薬剤とは所定の混合率で混合されるが、泡消火薬剤や水は環境温度の変化によって粘度が変化することを見越し、水と泡消火薬剤の所定の混合率に幅を持たせた混合率範囲を設定しているケースがあり、例えば、６％型（混合率６％）で６．０〜８．０％、３％型（混合率３％）で３．０〜４．０％、１％型（混合率１％）で１．０〜１．３％の範囲に設定されている。しかし、混合率１％型のような、一般に低濃度型とよばれる泡消火薬剤の混合は混合率範囲が狭く、混合率範囲内の混合が非常に困難であるといった問題がある。
【０００５】
本発明の目的は、使用流量が大きい泡消火設備であっても、配管の縮径と混合装置の小型化を可能にし、施工性の向上、省スペース化、コスト削減が図れるとともに、低濃度型とよばれる泡消火薬剤の混合に適した泡消火設備の泡消火薬剤混合方法及び泡消火設備の泡消火薬剤混合システムを提供することにある。
【課題を解決するための手段】
【０００６】
上記の目的を達成するために、請求項１に記載の発明は、送水管の途中に泡消火薬剤を吸引し流水中に圧入して混合する混合装置を設け、流水中に泡消火薬剤を圧入して所定の混合濃度の泡水溶液を生成する泡消火設備の泡消火薬剤混合方法であって、  前記混合装置の一次側にある送水管を分岐し、一方を混合装置の一次側配管とし、他方を前記混合装置をバイパスするバイパス管とし、前記混合装置の二次側に配置された二次側配管及び前記バイパス管の端部と前記混合装置の二次側にある送水管とを連結し、前記混合装置の一次側配管を流れる水と前記混合装置で吸引された泡消火薬剤とで所定濃度より高濃度の混合液を生成して前記混合装置の二次側配管から送り出し、この高濃度混合液と前記バイパス管を流れる水とを前記混合装置の二次側にある送水管で合流させて希釈し、所定の混合濃度の泡水溶液を生成することを特徴とする。
【０００７】
請求項１に記載の発明によれば、前記一次側送水管を流れる水は前記混合装置の一次側で分岐されて前記混合装置の一次側配管と前記バイパス管を流れるので、前記混合装置の一次側配管と前記バイパス管を流れる水量は減量し、その分前記混合装置の一次側配管と前記バイパス管の縮径化と前記混合装置の小型化が可能になり、施工性の向上、省スペース化、コスト削減を図ることができる。
さらに、前記混合装置の一次側配管を流れる水と、前記混合装置で吸引された泡消火薬剤とで生成した混合液と、前記バイパス管を流れる水とを前記混合装置の二次側にある送水管で合流させて希釈して生成される泡水溶液が所定の混合濃度となるように、予め、前記混合装置の一次側配管を流れる水の量と、前記混合装置で吸引された泡消火薬剤との混合率及び生成された混合液と前記バイパス管を流れる水との混合率を設定しておくことにより、所定の混合濃度の泡水溶液を容易に生成することができる。
特に、前記混合装置の一次側配管を流れる水と、前記混合装置で吸引された泡消火薬剤を所定の混合率より高い混合率で混合してから、この混合液に前記バイパス管を流れる水を混合して所定の混合率の泡水溶液を生成するので、従来の泡消火薬剤混合システムでは困難とされていた低濃度型とよばれる泡消火薬剤の混合を容易に行うことができる。
【０００８】
請求項２に記載の発明は、送水管の途中に泡消火薬剤を吸引し流水中に圧入して混合する混合装置を設け、流水中に泡消火薬剤を圧入して所定の混合濃度の泡水溶液を生成する泡消火設備の泡消火薬剤混合システムであって、前記混合装置の一次側にある送水管を分岐し、一方を混合装置の一次側配管とし、他方を前記混合装置をバイパスするバイパス管とし、前記混合装置の二次側に配置された二次側配管及び前記バイパス管の端部と前記混合装置の二次側にある送水管とを連結し、前記混合装置の一次側配管を流れる水と前記混合装置で吸引された泡消火薬剤とで生成した混合液と、前記バイパス管を流れる水とを前記混合装置の二次側にある送水管で合流させて希釈し、所定の混合濃度の泡水溶液を生成するようにしたことを特徴とする
【０００９】
請求項２に記載の発明によれば、前記一次側送水管を流れる水は前記混合装置の一次側で分岐されて前記混合装置の一次側配管と前記バイパス管を流れるので、前記混合装置の一次側配管と前記バイパス管を流れる水量は減量し、その分前記混合装置の一次側配管と前記バイパス管の縮径化と前記混合装置の小型化が可能になり、施工性の向上、省スペース化、コスト削減を図ることができる。
さらに、前記混合装置の一次側配管を流れる水と、前記混合装置で吸引された泡消火薬剤とで生成した混合液と、前記バイパス管を流れる水とを前記混合装置の二次側にある送水管で合流させて希釈して生成される泡水溶液が所定の混合濃度となるように、予め、前記混合装置の一次側配管を流れる水の量と、前記混合装置で吸引された泡消火薬剤との混合率及び生成された混合液と前記バイパス管を流れる水との混合率を設定しておくことにより、所定の混合濃度の泡水溶液を容易に生成することができる。
特に、前記混合装置の一次側配管を流れる水と、前記混合装置で吸引された泡消火薬剤を所定の混合率より高い混合率で混合してから、この混合液に前記バイパス管を流れる水を混合して所定の混合率の泡水溶液を生成するので、従来の泡消火薬剤混合システムでは困難とされていた低濃度型とよばれる泡消火薬剤の混合を容易に行うことができる。
【００１０】
請求項３に記載の発明は、請求項２に記載の、前記混合装置の一次側配管及び前記バイパス管には、それぞれ流量調整手段が設けられていることを特徴とする。
【００１１】
請求項３に記載の発明によれば、前記混合装置の一次側配管及び前記バイパス管には、それぞれ流量調整手段が設けられているので、前記混合装置の一次側配管及び前記バイパス管の流量を調整することにより、水と泡消火薬剤との混合率を調整することができる。  
【００１２】
請求項４に記載の発明は、請求項２または３のいずれか１項に記載の、前記混合装置は、前記一次側配管を流れる水と泡消火薬剤との混合率に応じて吸引する泡消火薬剤の吸引量を調整する泡消火薬剤吸引調整手段を備えていることを特徴とする。
【００１３】
請求項４に記載の発明によれば、前記混合装置は、前記一次側配管を流れる水と泡消火薬剤との混合率に応じて吸引する泡消火薬剤の吸引量を調整する泡消火薬剤吸引調整手段を備えているので、高濃度領域から低濃度領域までの混合率を容易に調整することができる。
【発明の効果】
【００１４】
本発明に係る泡消火設備の泡消火薬剤混合方法及び泡消火設備の泡消火薬剤混合システムによれば、混合装置の一次側配管とバイパス管の縮径化と、混合装置の小型化が可能になり、施工性の向上、省スペース化、コスト削減を図ることができる。さらに、所定の混合濃度の泡水溶液を容易に生成することができ、特に、従来の泡消火薬剤混合システムでは困難とされていた低濃度型とよばれる泡消火薬剤の混合を容易に行うことができる。
【図面の簡単な説明】
【００１５】
【図１】本発明に係る泡消火設備の泡消火薬剤混合システムの実施の形態の一例を示す概略構成図である。
【発明を実施するための形態】
【００１６】
以下、本発明に係る泡消火設備の泡消火薬剤混合システムの実施の形態の一例を図１を参照して詳細に説明する。
【００１７】
本例の泡消火設備の泡消火薬剤混合システム１は、水源水槽２からポンプ３で汲み上げられた水を圧送する送水管４の途中に、泡消火薬剤を吸引し流水中に圧入して混合する混合装置５を設け、流水中に泡消火薬剤を圧入して所定の混合濃度の泡水溶液を生成するものであって、混合装置４の一次側にある送水管４ａを分岐し、一方の分岐管を混合装置５の一次側配管６とし、他方の分岐管を混合装置５をバイパスするバイパス管７としている。  
【００１８】
そして、混合装置５の二次側に配置された二次側配管８及びバイパス管７の端部と混合装置５の二次側にある送水管４ｂとを連結し、混合装置５の一次側配管６を流れる水と、混合装置５で吸引された泡消火薬剤とで生成した混合液と、バイパス管７を流れる水とを混合装置５の二次側にある送水管４ｂで合流させて希釈し、所定の混合濃度の泡水溶液を生成するようになっている。
【００１９】
本例では、混合装置５の一次側配管６及びバイパス管７に、一次側配管６及びバイパス管７を流れる水の流量を調整する流量調整手段９を設けている。流量調整手段９としては、定流量弁、減圧弁、オリフィス等がある。
【００２０】
また、混合装置５にあっては、泡消火薬剤貯蔵槽１０から泡消火薬剤を吸引する吸引ポンプ１１と、一次側配管６を流れる水と泡消火薬剤との混合率に応じて吸引する泡消火薬剤の吸引量を調整する泡消火薬剤吸引調整手段１２を備えている。泡消火薬剤吸引調整手段１２を備えた混合装置５として、ファイアドス社の混合装置（ＦｉｒｅＤｏｓ：登録商標）が挙げられるが、これに限定されない。
【００２１】
また、本例では、生成する泡水溶液の求める混合濃度に応じて、流量調整手段９及び／又は泡消火薬剤吸引調整手段１２を制御し、バイパス管７を流れる水の流量と、一次側配管６を流れる水の流量と、一次側配管６を流れる水泡消火薬剤との混合率を調整する制御装置１３を備えている。
【００２２】
混合装置５の二次側にある送水管４ｂには、混合装置５で生成した混合液と、バイパス管７を流れる水との合流により生成された泡水溶液を発泡させる発泡装置１４が設けられている。
【００２３】
上記のように構成された泡消火設備の泡消火薬剤混合システム１によれば、水源水槽２からポンプ３で汲み上げられ、混合装置５の一次側にある送水管４ａを流れる水は、混合装置５の一次側配管６とバイパス管７に分岐して流れ、混合装置５の一次側配管６に流れた水は、混合装置５により、吸引ポンプ１１で吸引された泡消火薬剤の一次側配管６を流れる水とが混合され、所定の混合率の混合液が生成される。
そして、混合装置５で生成された混合液は、バイパス管７を流れる水と混合装置５の二次側にある送水管４ｂで合流し、希釈されて所定の混合濃度の泡水溶液が生成される。
従って、混合装置５で泡水溶液で求められる所定の混合の混合濃度より高濃度の混合液を生成し、この混合液にバイパス管７を流れる水を所定の混合率で混合させることにより、所定の混合濃度の泡水溶液が生成されることになる。
【００２４】
例えば、流量：３０００ｌ／ｍｉｎ、混合濃度：３％の泡水溶液を生成する場合、混合装置５の一次側にある送水管４ａに、流量：２９１０ｌ／ｍｉｎの水を流し、分岐してバイパス管７に、流量：１５００ｌ／ｍｉｎの水を流し、混合装置５の一次側配管６に、１４１０ｌ／ｍｉｎの水を流す。混合装置５では流量：９０ｌ／ｍｉｎの泡消火薬剤を吸引して一次側配管６を流れる水と混合する。これにより、流量：１５００ｌ／ｍｉｎ、混合濃度：６％の混合液が生成される。この６％混合液とバイパス管７を流れる水との合流による混合により、流量：３０００ｌ／ｍｉｎ、混合濃度：３％の泡水溶液を生成される。  
【００２５】
また、本例では、混合装置５の一次側配管６及びバイパス管７に、一次側配管６及びバイパス管７を流れる水の流量を調整する流量調整手段９を設けているので、流量調整手段９により一次側配管６及びバイパス管７の流量を調整することにより、一次側配管６を流れる水と混合装置５における吸引ポンプ１１で吸引される泡消火薬剤との混合率及び／又は一次側配管６を流れる水と混合装置５における吸引ポンプ１１で吸引される泡消火薬剤で生成される混合液とバイパス管７を流れる水との混合率を調整することにより、生成される泡水溶液の混合濃度を容易に調整できる。
【００２６】
また、本例では、混合装置５は、一次側配管６を流れる水と泡消火薬剤との混合率に応じて吸引ポンプ１１で吸引する泡消火薬剤の吸引量を調整する泡消火薬剤吸引調整手段１２を備えているので、泡消火薬剤の吸引量を調整することにより、生成される泡水溶液の混合濃度を容易にかつ精度良く調整できるとともに、高濃度領域から低濃度領域までの混合率を容易に調整することができる。
【００２７】
また、本例では、生成する泡水溶液の求める混合濃度に応じて、流量調整手段９及び／又は泡消火薬剤吸引調整手段１２を制御し、バイパス管７を流れる水の流量と、一次側配管６を流れる水の流量と、一次側配管６を流れる水泡消火薬剤との混合率を調整する制御装置１３を備えているので、生成される泡水溶液の混合濃度を複雑な操作を要すること無く、極めて容易にかつ精度良く調整することができる。
【符号の説明】
【００２８】
１  泡消火薬剤混合システム
２  水源水槽
３  ポンプ
４  送水管
４ａ  一次側にある送水管
４ｂ  二次側にある送水管
５  混合装置
６  一次側配管
７  バイパス管
８  二次側配管
９  流量調整手段
１０  泡消火薬剤貯蔵槽
１１  吸引ポンプ
１２  泡消火薬剤吸引調整手段
１３  制御装置
１４  発泡装置
【図１】
2016150030.tif 000003